(57)【要約】      （修正有）【課題】船べり上面に取り付ける釣り仕掛け収納具が、優れた操作性と運搬性、そして、安全性を有すること。【解決手段】収納具底面１Ａの船べり内側を向く一端に、万力のくわえ部３Ｆが、船べり外側に向かいかつ底面１Ａの下方に可変しかつ倒立可能にして連結されて、該収納具が、幅や高さが異なる船べり９に装着自在、かつ、前記万力の転倒による該収納具下部への収納を可能にする。本発明の釣り仕掛け収納具船べり装着装置は、底面１Ａの下部に、前記万力の連結倒立部４Ｂを囲みかつ前記の高さの差を補う凸部４Ａを設けてがたつきを解決する。さらに、底面１Ａの船べり内側を向く両端に凸部４Ａより突き出た凸部５Ａを、該収納具の船べり装着時に、船べりが内側を向く面１１と圧着するよう設けて、該収納具の万力くわえ部３Ｆを軸にした回転を防ぐ。【選択図】図１
2005204634.tif 000002
【特許請求の範囲】
【請求項１】
船べり上面に取り付ける釣り仕掛け収納具底面の船べり内側を向く一端に、万力のくわえ部を、船べり外側に向かいかつ前記底面の下方に可変しかつ倒立可能にして連結し、さらに、前記底面下部に、前記万力の連結倒立部を囲みかつ前記底面と前記万力のくわえ部上縁との高さの差を補う凸部を設け、さらに、前記底面の船べり内側を向く両端に前記凸部より突き出た凸部を該収納具の船べり装着時に船べりが内側を向く面と圧着するよう設けるか又は設けないこと、さらに、前記万力の連結倒立機構にバネを付加して該万力の収納を自動化するか又はしないこと、を特徴とする船べり上面に取り付ける釣り仕掛け収納具船べり装着装置
【請求項２】
船べり上面に取り付ける釣り仕掛け収納具の船べり外側を向く両端または片端に、糸通路部とその両端の糸通路逸脱防止壁とを備えた、糸引き上げガイドを設けたこと、を特徴とする船べり上面に取り付ける釣り仕掛け収納具
【発明の詳細な説明】
【発明の詳細な説明】
【発明の属する分野】
【０００１】  本発明は、船べりに取り付ける釣り仕掛け収納具船べり装着装置および釣り仕掛け収納具に関する発明である。
【背景技術】
【０００２】  釣り船は、船べりに釣り仕掛け収納具を装着し、使用することが多い。多数の針を吹き流し状につけた仕掛けの収納と投入を、効率的に行なうためである。これらの釣り仕掛け収納具は、該収納具上面の、船べり外側に並ぶ針保持部に、秩序よく、針を並べて保持する形状が多い。釣り人は、前記収納具の船べり内側に立ち、仕掛けの保持と投入を行なう。仕掛けは、投入時も、秩序よく、針保持部から離脱し、釣りの効率を高める。従来の釣り仕掛け収納具の船べり装着方法は、幅や厚さが異なる船べりへの着脱を自在に行なうため、万力状の装着器具を既設するか、独立した万力によって、船べりに圧着固定するのが一般的である。何れの従来の方法も、万力などの船べり装着器具の全体乃至一部が、収納具上面や側面に突出して使用時の操作性や機能を損なう、乃至、収納具下方に突出して運搬性を損なうなどする。尚、また、従来の釣り仕掛け収納具は、水中に垂れ下がる仕掛け糸を、船べり外側で、引き上げかつ維持し、離れた針保持部に、針保持を繰り返して、仕掛けを保持する。つまり、揺れる船べりに立ち、一方の手には、２キログラムを超える場合もある重りを維持し、他方の手で、危険な針を、離れた針保持部に保持する、作業が求められる。以上は、難しく、つらい作業である。
【発明が解決しようとする課題】
【０００３】本発明の船べり上面に取り付ける釣り仕掛け収納具は、船べり装着器具の全てを、該収納具底面に収納し、針や糸保持がし易く、かつ、釣り糸が風に舞うなどして該船べり装着器具にからむ問題を解消し、かつ、運搬性も高める。更に、発明が解決しようとする課題について、詳述する。
【課題１】
一般的な船べりは、幅や厚さが多様である。本発明の釣り仕掛け収納具船べり装着装置、第一の課題は、該収納具を、幅と厚さが多様な船べりに、着脱自在にすることである。
【課題２】
本発明の釣り仕掛け収納具船べり装着装置、第二の課題は、該収納具の機能や操作性を損なうことが少ない、該収納具下部における船べり装着を実現することである。尚、船べり装着は、作業が簡単、かつ、該収納具のがたつきやずれ、回転が、最小でなければならない。
【課題３】
本発明の釣り仕掛け収納具船べり装着装置、第三の課題は、該船べり装着装置の万力を、該収納具下部に転倒収納可能にして、優れた運搬性を提供することである。また、更に、本発明の釣り仕掛け収納具は、該収納具に、糸の引き上げガイドを付加することにより、糸の引き上げと維持を、該収納具上方で可能にする。以上は、し掛け糸の引き上げと針保持作業を互いに隣接した、釣り人手元の作業とし、作業性と安全性を高める。（
【課題４】
）
【発明の目的】
【０００４】  本発明の目的は、上記課題を解決する、新しい釣り仕掛け収納具船べり装着装置および釣り仕掛け収納具を提供することにある。
【課題を解決するための手段】
【０００５】  本発明の釣り仕掛け収納具船べり装着装置は、船べり上面に取り付ける釣り仕掛け収納具底面、例えば、台板状の釣り仕掛け収納具底面の船べり内側を向く一端に、万力のくわえ部を、船べり外側に向かいかつ前記底面の下方に可変しかつ倒立可能にして連結し、さらに、前記底面下部に、前記万力の連結倒立部を囲みかつ前記底面と前記万力のくわえ部上縁との高さの差を補う凸部を設け、さらに、前記底面の船べり内側を向く両端に前記凸部より突き出た凸部を該収納具の船べり装着時に船べりが内側を向く面と圧着するよう設けるか又は設けないこと、さらに、前記万力の連結倒立機構にバネを付加して該万力の収納を自動化するか又はしないことを特徴とする。また、本発明の釣り仕掛け収納具は、船べり上面に取り付ける該収納具の船べり外側を向く両端または片端に、糸通路部とその両端の糸通路逸脱防止壁とを備えた、糸引き上げガイドを設けることを特徴とする。
【課題１の解決】
【０００６】  船べりの殆んどは、船の前後に長く上面はほぼ平ら、幅が１０センチメートルから２０数センチメートル、厚さが数ミリメートルから１０数センチメートル、舷側上端に位置し、幅の過半は、舷側内側にオーバーハングしている。本発明の請求項１の船べりに取り付ける釣り仕掛け収納具船べり装着装置は、船べり内側を向く一端に、万力のくわえ部が船べり外側に向かいかつ前記底面の下方に可変しかつ倒立可能にして連結し、設ける。前記万力は、該収納具底面の下方に立てた状態で、前記オーバーハング部を上下にくわえ、船べり固定する。前記万力は、くわえ部の奥行きが、数センチメートルから１０センチメートル、くわえ部の可変範囲を０センチメートルから１０数センチメートルとすることで、ほとんどの船べりの幅と厚さに対応可能となる。以上により、該収納具は、幅や高さが異なる船べりに装着自在になり、課題１を解決する。
【課題２の解決】
【０００７】  前記万力による船べり固定は、該収納具の船べり装着時、万力くわえ部から離れた縁辺でがたつき、かつ、前記くわえ部を軸にして回転しやすい課題を残す。前記縁辺のがたつきは、船べり上面と該収納具底面の圧着が、該収納具底面と万力くわえ部上縁との高さの差、つまり、万力の躯体および連結倒立機構の高さによって、阻害されるためである。本発明の請求項１の釣り仕掛け収納具船べり装着装置は、該収納具の底面下部に、前記万力の連結倒立部を囲み、かつ、該収納具底面と万力くわえ部上縁との高さの差を補う凸部を設けて、前記縁辺のがたつきを解決する。さらに、本発明の請求項１の釣り仕掛け収納具船べり装着装置は、前記底面の船べり内側を向く両端に、前記凸部より突き出た凸部を該収納具の船べり装着時に船べりが内側を向く面と圧着するよう設ける。前記のより突き出た凸部は、該収納具が、前記万力くわえ部を軸に回転することを防ぐ。以上によって、本発明の請求項１の釣り仕掛け収納具船べり装着装置は、ずれやがたつき、回転がない船べり固定を実現する。なお、該収納具が、船べりの前後方向に長い場合、該収納具の船べり内側の前記底面に、船べり外側を向けて、複数の万力を設けることも可能である。複数の万力を設ける場合、前記のより突き出た凸部は不要となり、かつ、１個の万力より強力に船べり固定できる。本発明の請求項１の釣り仕掛け収納具船べり装着装置は、全てのパーツが、該収納具下部に設けられて作動し、かつ、がたつきやずれ、回転が無い、船べり装着を可能にする。つまり、課題２を解決する。尚、本発明の請求項１の船べりに取り付ける釣り仕掛け収納具は、該収納具の底面で、前記万力を倒立可能にして連結し、かつ、前記の凹部とより突き出た凹部を設けることが可能なスペースを有する場合に限り、有効である。
【課題３の解決】
【０００８】本発明の請求項１の釣り仕掛け収納具船べり装着装置は、船べり内側を向く一端に、万力のくわえ部が、船べり外側に向かいかつ前記底面の下方に可変しかつ倒立可能にして連結し、設ける。前記万力の連結倒立機構は、蝶番の利用が、実用的である。蝶番の一方の羽根を、前記底面の船べり内側を向く一端の中間に連結し、他方の羽根を前記万力の前記底面を向く躯体上面に連結する。以上により、万力は、前記底面の前記連結部において倒立し、前記底面、つまり、該収納具下部に転倒収納可能となる。前記
【０００６】項記載の、くわえ部が１０数センチメートルを有する万力は、締め付けローター等を加ると２０センチメートル余も、該収納具下方に突出することとなるが、前記の転倒収納により、数センチメートルの突出に抑えることが可能になる。さらに、本発明の請求項１の釣り仕掛け収納具船べり装着装置は、連結倒立機構にバネを付加し、該万力部を前記底面下部へ、自動的に収納することも可能である。バネの付加は、蝶番の回転軸にコイルバネを付加し、バネの反発力を蝶番の羽根に働かせ、非使用時の万力を、自動的に該収納具下部に収納せしめる。前記蝶番の他に、くわえ部の上縁を構成する万力の躯体に、回転軸を付加する方法も有効である。前記回転軸は、該収納具底面に設けた一対の軸受け板によって回転を支えられ、万力の転倒収納を可能にする。また、前記蝶番の場合と同様に、該回転軸にコイルバネを装着することも可能である。以上は、万力の転倒収納を簡単にし、かつ、優れた運搬性を提供する。
【課題４の解決】
【０００９】本発明の請求項２の釣り仕掛け収納具は、船べり上面に取り付ける釣り仕掛け収納具の船べり外側の両端または片端に、糸通路部とその両端の糸通路逸脱防止壁とを備えた、糸引き上げガイドを設ける。前記の糸引き上げガイドは、Ｕ字状或いは糸巻き状で、仕掛け糸は、Ｕ字状の底部或いは糸巻状の円筒部に掛けられ、両側の側壁部によって糸の通路逸脱が防止され、水面から、該収納具上方に向きを変え、引き上げられる。前記の糸引き上げガイドが、Ｕ字状の場合、糸通路の幅および側壁部の高さは、共に、１０数ミリメートル以上とし、かつ、躯体に十分な厚みをもたせた角が無い構成にする。つまり、糸の連結金具なとが、滑らかに通過できる形状にする。また、糸引き上げガイドが、糸巻き状の場合も、糸通路の幅および側壁部の高さ、共に、１０数ミリメートル以上とする。以上により、釣り人は、該収納具上方で、糸を引くだけで、仕掛け糸の引き上げと維持が可能になる。前記の糸を引く動作は、保持すべき針を、該収納具上方に引き寄せる動作も兼ね、次の針保持動作を、し易くする。仕掛けの引き上げと維持、そして、針保持が隣接する上、作業がし易い手元作業となる。また、重い重りの仕掛けを、船べり外側で捧げ持つ動作に比べ、手元で糸を引く動作は、はるかに楽である。以上は、課題４を解決する。
【発明を実施するための最良の形態】
【００１０】  図１は、本発明の請求項１の釣り仕掛け収納具船べり装着装置、第一実施例の全体斜視図である。図２は、前記第一実施例の、該収納具底面、および、該収納具底面の船べり内側下方に設けた壁の透視、斜視図である。図３は、前記第一実施例の、蝶番部の斜視図である。図４は、前記第一実施例の、万力部の斜視図である。図５は、前記第一実施例の、該収納具底面に設けた凸部、および、該収納具底面の船べり内側両端に設けたより突き出た凸部の斜視図である。図６は、図１の第一実施例の場合の、該収納具下部に、万力を収納した状態の全体斜視図である。図７は、本発明の請求項１の釣り仕掛け収納具船べり装着装置の第二実施例の斜視図である。図８は、該収納具が長い場合、複数の万力を装着する例で、本発明の請求項１の釣り仕掛け収納具船べり装着装置、第三実施例の全体斜視図である。また、図８は、図７の第二実施例の全体説明図も兼ねる。図９は、糸引き上げガイドを有しない場合の、従来の釣り仕掛け収納具の、仕掛けの引上げと針保持動作を説明する、斜視図である。図１０は、本発明請求項２の釣り仕掛け収納具第二実施例の糸引き上げガイドによる、仕掛けの引上げと針保持動作を説明する斜視図である。図１１は、本発明請求項２の釣り仕掛け収納具の第一実施例で、糸引き上げガイドを説明する拡大斜視図である。図１２は、本発明請求項２の釣り仕掛け収納具の第二実施例で、糸引き上げガイドを説明する拡大正面図である。図１３は、本発明請求項２の釣り仕掛け収納具の第三実施例で、糸引き上げガイドを説明する拡大正面図である。【００１１】図１を以って、本発明の請求項１の釣り仕掛け収納具船べり装着装置、第一実施例を説明する。前記第一実施例の船べり装置装置は、台板状釣り仕掛け収納具底面１Ａの船べり内側を向く一端の中間に、万力のくわえ部３Ｆが、前記底面１Ａの船べり外側に向かいかつ下方において可変し、かつ、前記底面１Ａに連結し倒立するよう設けて、該収納具が、幅や高さが異なる船べり９に装着自在、かつ、非使用時、前記万力が該収納具下部へ転倒収納されるようにする。第一実施例は、万力連結倒立機構に蝶番を用いている例である。蝶番の一方の羽根２Ｂに設ける連結穴２Ｅと該収納具底面１Ａつまり該収納具合板に設ける連結穴１Ｂをネジで連結し、かつ、蝶番の他方の羽根２Ｃに設ける連結穴２Ｆと該万力くわえ部の上縁に設ける連結穴３Ｄをネジで連結して、該収納具底面１Ａの下方における万力の連結と倒立を可能にする。しかし、前記の万力だけでは、前記底面１Ａと前記万力のくわえ部上縁との高さの差が、前記底面１Ａの縁辺と船べり上面９の間に、がたつきを生む。本発明の請求項１の釣り仕掛け収納具船べり装着装置は、前記底面１Ａの下部に、前記万力の連結倒立用スペース４Ｂを囲み、かつ、前記の高さの差を補う凸部４Ａを設けて前記がたつきを解決する。さらに、本発明の請求項１の釣り仕掛け収納具船べり装着装置は、前記底面１Ａの船べり内側の両端に、前記凸部４Ａより突き出た凸部５Ａが、該収納具の船べり装着時に船べりが内側を向く面１１と圧着するよう設けて、該収納具が船べり上面で万力くわえ部３Ｆを軸に回転することを防ぐ。尚、図１は、前記凸部４Ａおよびより突き出た凸���５Ａが、軽量かつ船べり上面の凹凸に対応するよう、スポンジ状の材質を採用する例を示している。前記底面１Ａの船べり内側下方を向いている壁１Ｃは、前記スポンジ状材質のより突き出た凸部５Ａが、船べり内側に倒れるのを防ぐため設ける。尚、該収納具の基台に、厚さ：１ミリメートルのステンレス材を用いる場合、前記凸部４Ａとして、該基台の底面ほぼ全域に、厚さ：１５ミリメートル以上の単泡状スポンジを用いることができれば、仮に、万力部が、ステンレス材であっても浮力が得られる。浮力がある該収納具は、誤って海中に落としても、回収可能である。該収納具の基台が、ステンレスより比重が小さい、プラスチックや木質の場合は、より薄い単泡状スポンジ材で、浮力が得られる。【００１２】図２は、前記第一実施例の、該収納具底面１Ａ、および、該収納具底面１Ａの船べり内側下方に設ける壁１Ｃの説明である。尚、図２、及び、図１、図７、図８の前記底面１Ａは、何れも、本発明の請求項１の釣り仕掛け収納具船べり装着装置が、前記底面１Ａ下部に構成される状態を分かり易くする為に、透視図としている。前記底面１Ａは、該収納具の基台底面そのものであり、基台の材質は、ステンレスやプラスチック、木材で構成する。前記底面１Ａつまり基台底面の船べり内側を向く一端の中間には、万力を連結するための連結ネジ穴１Ｂを設ける。前記壁１Ｃは、より突き出た凸部５Ａをスポンジ状材質で構成する場合に設け、より突き出た凸部５Ａが船べり内側に倒れることを防ぐ。【００１３】図３は、前記第一実施例の、万力の連結倒立機構として用いる蝶番が、閉じた状態の説明である。前記蝶番は、羽根２Ｂに設ける連結ネジ穴２Ｅと前記底面１Ａの船べり内側を向く一端の中間に設ける連結ネジ穴１Ｂ、そして、他方の羽根２Ｃに設ける連結ネジ穴２Ｆと前記万力の躯体３Ａ上縁に設ける連結ネジ穴３Ｄをネジ等で連結する。尚、前記連結方法は、ネジの他に、溶接やリベットを使用する方法も採用可能である。結果、前記万力は、前記底面１Ａの下部で、倒立可能となる。さらに、前記蝶番の回転軸２Ａにコイルバネ２Ｄを付加することにより、該万力を、自動的に、前記底面１Ａ下部へ収納することも可能である。【００１４】図４は、前記第一実施例の万力の斜視図である。前記万力の基本構成は、躯体３Ａおよび、締め付けボルト３Ｂ、締め付けローター３Ｃから成り、くわえ部３Ｆの可変範囲も、１０数センチメートルと、市販品と同様の構成である。尚、躯体３Ａ上縁には、連結穴３Ｄを設ける。締め付けローター３Ｃを加えた万力の全長は約２０センチメートル、最も広いローターの幅は、数センチメートルで、転倒収納した場合、該収納具底面への突出を、約４分の１に抑えることが可能になる。【００１５】図５は、前記第一実施例の、凸部４Ａとより突き出た凸部５Ａの説明である。本発明の請求項１の釣り仕掛け収納具船べり装着装置は、該収納具底面１Ａに凸部４Ａ、および、該収納具底面１Ａの船べり内側両端により突き出た凸部５Ａを設ける。前記凸部４Ａの厚さ４Ｃは、閉じた状態の蝶番の厚さ２Ｇに万力くわえ部上縁の躯体の厚さ３Ｅを加えた厚さと同等かやや厚くする。やや厚くすることにより、前記凸部４Ａのスポンジ状材質の弾性が、船べり上���との圧着を効果的にする。凸部４Ａに設けられているスペース４Ｂは、万力の連結倒立部スペースである。前記凸部４Ａは、船べり上面と該収納具底面の圧着を補助できれば良く、形状は船べり上面に広く圧着する平板状が好ましい。がっしり船べり装着するには硬質な材質、船べり上面とのすべりを防ぐにはゴム質、軽量で船べり上面の凹凸に対応するにはスポンジ状がよい。尚、図５の凸部４Ａとより突き出た凸部５Ａは、点線で区分されているが、独立して存在することも可能である。【００１６】図６は、図１の第一実施例の該収納具下部に万力を収納した状態の全体斜視図である。該収納具が、船べりから外された非使用時の状態で、万力の連結倒立機構にコイルバネ２Ｄを装着している場合、自動的に、万力部が、該収納具下部に収納される。尚、前記のコイルバネを付加しない場合は、該収納具底面に、収納した万力を固定するストッパーを付加することが望ましい。【００１７】図７を以って、本発明の請求項１の釣り仕掛け収納具船べり装着装置の第二実施例を説明する。万力連結機構として、第一実施例の蝶番を用いる例に代えて、第二実施例の方法は、万力くわえ部３Ｆの上縁を構成する躯体３Ａに回転軸６Ｃを付加する例で、金属丸棒を溶接する又は前記躯体そのものを加工して円筒状突起を設ける等する。第二実施例の構成は、前記回転軸６Ｃを、両端の軸受け板６Ｂに設けた軸受け穴によって支え、更に、軸受け板６Ｂを軸受け板台座６Ａと一体にし、かつ、軸受け板台座６Ａに連結ネジ穴６Ｅを設けて、該収納具底面１Ａに設ける連結ネジ穴１Ｂとを、ネジなどで固定する。尚、抜け止めネジ６Ｆは、前記回転軸が、前記軸受け板６Ｂから、脱落することを防ぐ。結果、前記万力は、該収納具底面１Ａの下部で倒立可能となる。尚、また、前記回転軸６Ｃにコイルバネ６Ｄを装着し、バネの反発力を万力に伝え、自動的に万力を転倒収納することも可能である。【００１８】図８を以って、本発明の請求項１の釣り仕掛け収納具船べり装着装置の、第三実施例を説明する。本発明の請求項１の釣り仕掛け収納具が長い場合の実施例で、図７の第二実施例である万力連結機構を採用し、かつ、複数の万力を用いる例である。図８は、２個の万力を、該収納具底面１Ａの船べり内側を向く一端に、連結倒立可能にして設け、より突き出た凸部５Ａを省略して実施している。２個の万力は、より突き出た凸部５Ａの役割を兼ね、また、より強固な船べり固定を可能にする。【００１９】図９は、糸引き上げガイドを有しない場合の、従来の釣り仕掛け収納具の、仕掛けの引上げと針保持動作を説明する斜視図である。仕掛け糸８Ｄを捧げ持つ手８Ｅは、船べり外側上方で、針保持をする手８Ｃと離れている。釣り人は、揺れる船べりに立つことを余儀なくされ、両手が離れた状態で、細やかかつ危険な針保持作業を、せねばならない。【００２０】図１０は、本発明の糸の引き上げガイドを有する釣り仕掛け収納具の、仕掛けの引上げと針保持動作を説明する斜視図である。なお、図１０は、図１２の本発明の請求項２、釣り仕掛け収納具の第二実施例である、糸巻き状の糸引き上げガイドの実施説明図を兼ねる。釣り人は、糸の引き上げガイドの軸７Ｄに糸を掛け、該収納具上方の手８Ｅで、仕掛け糸８���を引き上げている。針保持をする手８Ｃも、同じ該収納具上方にあり、釣り人手元による、仕掛け糸の引き上げと針保持を可能にしている。【００２１】図１１を以って、本発明請求項２の釣り仕掛け収納具の第一実施例である、糸の引き上げガイドを説明する。前記の糸引き上げガイドは、船べり上面に取り付ける釣り仕掛け収納具の船べり外側を向く両側に設けられ、Ｕ字状をしている。前記第一実施例の糸引き上げガイドは、糸の通過を支える軸７Ａおよび軸７Ａの両端で上方に向かって立ち通路逸脱を防ぐ側壁７Ｂ、および、基台への固定ネジ７Ｃで構成する。糸の通路は、角が取られた、軸７Ａと軸７Ａの両端に立つ２本の柱７Ｂで構成し、船べり上方に向かって開口し、糸を通過させる。尚、前記の糸の通路は、仕掛けの連結金具を通過させるのに充分な、深さと幅、つまり、何れも１０数ミリメートル以上とすることが好ましい。以上により、仕掛けは、滑らかに該糸引き上げガイドを通過し、該収納具上方に引き上げられる。【００２２】図１２を以って、本発明請求項２の釣り仕掛け収納具の第二実施例である糸引き上げガイドを説明する。前記第二実施例の糸引き上げガイドは、前記第一実施例の、糸の通過を支える軸７Ａを円筒状の軸７Ｄとし、糸の通路逸脱を防ぐ側壁７Ｂを、円盤７Ｅとした実施例である。第二実施例は、糸巻き状の糸引き上げガイドの例であり、糸巻き部の軸にラチェット機能を組み込み、糸の引き上げ時は回転するが、逆方向には回転しない、或いは、糸の引き上げを電動モーターで行なうなども可能である。【００２３】図１３を以って、本発明請求項２の釣り仕掛け収納具の第三実施例である糸引き上げガイドを説明する。前記第三実施例の糸引き上げガイドは、第二実施例の円筒状の軸７Ｄを、該収納具の基台取り付け部反対側を曲面状７Ｆとし、かつ、前記曲面に接する側の糸の通路逸脱を防ぐ円盤７Ｅを、弾性と摩擦が大きい円盤７Ｇとした実施例である。釣り人が、仕掛けの引き上げを行なう場合、糸は、必然的に、該収納具基台取り付け部側の糸通路７Ｉ辺りを通過することとなる。一方、釣り人が、仕掛けの引き上げを、一時的に中止して糸の仮保持をしたい場合、糸を、軸７Ｆの曲面側７Ｉに挟持することができる。つまり、咄嗟の対応が、可能となる。糸は、軸７Ｆの曲面に接する弾性と摩擦が大きい円盤７Ｇに挟持される。第三実施例の糸引き上げガイドは、糸の引き上げガイドと糸の仮止めを兼ねる利点を有する。【００２４】図１０乃至図１３を以って説明した、本発明請求項２の釣り仕掛け収納具の何れの糸引き上げガイドも、該収納具の船べり外側を向く片端または両端に取り付け可能である。両端に取り付ける場合、左利き、右利き、何れにも、対応可能となる。また、何れの糸引き上げガイドも、本発明の請求項１の釣り仕掛け収納具船べり装着装置を設けた釣り仕掛け収納具に設けることも可能であるし、従来の釣り仕掛け収納具に設けることも可能である。【００２５】以上、発明の実施の形態について述べたが、この実施の形態に限定されること無く、変形例も本発明の範囲に包含される。
【発明の効果】
【本発明請求項１の釣り仕掛け収納具船べり装着装置の効果１】
【００２６】（効果１Ａ）釣り仕掛け収納具が、幅や厚さが異なる船べりに、装着自在になる
（効果１Ｂ）簡単な作業で、ずれやがたつき、回転が無い、確実な船べり装着ができる。
（効果１Ｃ）船べり装着装置が、全て該収納具下部に設けられ、作動するため、該収納具の操作性や機能の損失が、最小になる。
（効果１Ｄ）万力部が、該収納具下部へ転倒収納可能なため、運搬性に優れる。
（効果１Ｅ）万力連結倒立機構に、バネを付加する事により、万力部の転倒収納を、自動化できる。
（効果１Ｆ）長い該収納具も、複数の万力を装着する事により、対応可能である。
（効果１Ｇ）凸部４Ａに単泡発砲材を用いることにより、浮力を得る事ができ、誤って、該収納具を、海中に落とした場合、回収可能である。
【本発明請求項２の釣り仕掛け収納具の効果２】
【００２７】（効果２Ａ）仕掛けの引上げと針保持作業を容易にする。
（効果２Ｂ）仕掛けの引上げと針保持作業の危険を減少する。
【図面の簡単な説明】
【００２８】
【図１】図１は、本発明の請求項１の釣り仕掛け収納具船べり装着装置、第一実施例の全体斜視図である。
【図２】図２は、前記第一実施例の、該収納具底面、および、該収納具底面の船べり内側下方に設けられた壁の透視、斜視図である。
【図３】図３は、前記第一実施例の、蝶番部の斜視図である。
【図４】図４は、前記第一実施例の、万力部の斜視図である。
【図５】図５は、前記第一実施例の、該収納具底面に設けられた凸部、および、該収納具底面船べり内側の両端設けられたより突き出た凸部の斜視図である。
【図６】図６は、図１の第一実施例の、万力を該収納具下部に収納した全体斜視図である。
【図７】図７は、本発明の請求項１の釣り仕掛け収納具船べり装着装置、第二実施例の斜視図である。
【図８】図８は、本発明の請求項１の釣仕掛け収納具船べり装着装置、第三実施例の全体斜視図である。また、図８は、図７の第二実施例の全体説明図を兼ねる。
【図９】図９は、糸引き上げガイドを有しない、従来の釣り仕掛け収納具による仕掛けの引き上げと針保持の動作図である。
【図１０】図１０は、本発明の請求項２の釣り仕掛け収納具の第二実施例による、仕掛けの引き上げと針保持の動作図である。
【図１１】図１１は、本発明請求項２の釣仕掛け収納具の第一実施例である、糸引き上げガイド図である。
【図１２】図１２は、本発明釣請求項２の仕掛け収納具の第二実施例である、糸引き上げガイド図である。
【図１３】図１３は、本発明釣請求項２の仕掛け収納具の第三実施例である、糸引き上げガイド図である。
【符号の説明】
【００２９】１Ａ．釣り仕掛け収納具底面、つまり、基台（該収納具基台が透視された状態）
１Ｂ．基台、連結穴
１Ｃ．基台、船べり内側の下方に向かう壁
２Ａ．蝶番、回転軸
２Ｂ．基台に連結される側の、蝶番の羽根
２Ｃ．万力に連結される側の、蝶番の羽根
２Ｄ．回転軸に付加された、コイルバネ
２Ｅ．蝶番の基台側、連結穴
２Ｆ．蝶番の万力側、連結穴
２Ｇ．閉じた状態の蝶番の厚さ
３Ａ．万力、躯体
３Ｂ．万力、ボルト部
３Ｃ．万力、締め付けローター
３Ｄ．万力の蝶番側、連結穴
３Ｅ．万力くわえ部上縁、躯体の厚さ
３Ｆ．万力、くわえ部
４Ａ．凸部
４Ｂ．万力、連結倒立部スペース
４Ｃ．凸部、高さ
５Ａ．より突き出た凸部
６Ａ．軸受け板台座
６Ｂ．軸受け板
６Ｃ．回転軸／止めネジ穴つき
６Ｄ．回転軸に付加された、コイルバネ
６Ｅ．軸受け板台座、連結穴
６Ｆ．回転軸、抜け止めネジ
７Ａ．糸引き上げガイド、糸の通路軸
７Ｂ．糸引き上げガイド、柱状の糸通路逸脱防止壁
７Ｃ．糸引き上げガイド、固定ネジ
７Ｄ．糸引き上げガイド、円筒状の糸通路
７Ｅ．糸引き上げガイド、円盤状の糸通路逸脱防止壁
７Ｆ．糸引き上げガイド、該収納具台板反対側を曲面にされた円筒状糸通路
７Ｇ．糸引き上げガイド、弾性と摩擦が大きい円盤状の糸通路逸脱防止壁
７Ｈ．糸引き上げガイド、糸の通路部
７Ｉ．糸引き上げガイド、糸の仮保持部
８Ａ．針
８Ｂ．ハリス
８Ｃ．手指
８Ｄ．仕掛け糸
８Ｅ．他方の手指
８Ｆ．おもり
９．  船べり上面
１０．船べりが内側を向く面
１１．舷側
【図１】
2005204634.tif 000003
【図２】
2005204634.tif 000004
【図３】
2005204634.tif 000005
【図４】
2005204634.tif 000006
【図５】
2005204634.tif 000007
【図６】
2005204634.tif 000008
【図７】
2005204634.tif 000009
【図８】
2005204634.tif 000010
【図９】
2005204634.tif 000011
【図１０】
2005204634.tif 000012
【図１１】
2005204634.tif 000013
【図１２】
2005204634.tif 000014
【図１３】
2005204634.tif 000015